(57)【要約】【課題】不透水性布地又はシートを使用して必要なときに水分の吸収が可能で、人体の顔、首、頭部などを効果的に冷却あるいは温熱することができる吸水パッドを得る。【解決手段】不透水性布地１０Ａ，１０Ｂからなる平面状の周囲が閉止された袋体１０内に、吸水ポリマーを含むシート状吸水体１５を挟み込み、不透水性布地１０Ａ，１０Ｂとシート状吸水体１５とをステッチ糸３３で縫合して平面視で複数のエリアに分割し、シート状吸水体１５がステッチ縫合部分３２を吸水経路として水分を吸収する吸水パッド。水分はステッチ縫合により形成された孔とステッチ糸の毛細管現象によってシート状吸水体１５に吸収される。シート状吸水体１５は吸水ポリマーを含む不織布であることが好ましい。また、不透水性布地１０Ａ，１０Ｂの表面は撥水処理が施されていてもよい。【選択図】図１
2010246727.tif 000002
【特許請求の範囲】
【請求項１】
不透水性布地又はシートからなる平面状の周囲が閉止された袋体内に、吸水ポリマーを含むシート状吸水体を挟み込み、
前記不透水性布地又はシートと前記シート状吸水体とをステッチ縫合して平面視で複数のエリアに分割し、
前記不透水性布地又はシートにステッチ縫合によって形成された孔と、前記シート状吸水体を貫通するステッチ糸の毛細管現象によって水分が前記シート状吸水体に吸収されること、
を特徴とする吸水パッド。
【請求項２】
前記ステッチ縫合部分は、前記シート状吸水体が水分を吸収した際に、前記複数のエリアが膨張することにより窪んだ位置に隠れること、を特徴とする請求項１に記載の吸水パッド。
【請求項３】
前記シート状吸水体は吸水ポリマーを含む不織布であることを特徴とする請求項１又は請求項２に記載の吸水パッド。
【請求項４】
前記不透水性布地又はシートの表面は撥水処理が施されていることを特徴とする請求項１、請求項２又は請求項３に記載の吸水パッド。
【発明の詳細な説明】
【技術分野】
【０００１】
本発明は、吸水パッド、特に、人体の顔、首、頭部などを冷却、温熱するための吸水パッドに関する。
【背景技術】
【０００２】
人体の顔、首、頭部などを効果的に冷却あるいは温熱するために、吸水性シートを用いた吸水パッドが種々提供、提案されている。従来、この種の吸水パッドとしては、表面に透水性布地を使用したもの、または、不透水性シートを使用したものがある。
【０００３】
透水性布地を使用したパッドにあっては、使用時のみ水を吸収させればよく、保管などは簡易であるが、使用時に水分が布地を通して浸み出し、肌や衣類が濡れたり、べたついてしまう。不透水性シートを使用したパッドにあっては、生産時に水分がパッド内部に吸水されているため、重く、体積も大きな状態で保管しなければならない。即ち、不透水性布地又はシートを使用して水分を吸収できるパッドは従来知られていなかったのである。
【０００４】
このような吸水パッドの分野において、不透水性布地又はシートを使用して、内蔵した吸水性ポリマーに水分を吸収及び発散させることに関して、株式会社プロパティを通じて特許文献の先行技術調査を行ったが該当するものを発見することはできなかった。
【発明の概要】
【発明が解決しようとする課題】
【０００５】
本発明の目的は、不透水性布地又はシートを使用して必要なときに水分の吸収が可能で、人体の顔、首、頭部などを効果的に冷却あるいは温熱することができる吸水パッドを提供することにある。
【課題を解決するための手段】
【０００６】
以上の目的を達成するため、本発明の一形態である吸水パッドは、
不透水性布地又はシートからなる平面状の周囲が閉止された袋体内に、吸水ポリマーを含むシート状吸水体を挟み込み、
前記不透水性布地又はシートと前記シート状吸水体とをステッチ縫合して平面視で複数のエリアに分割し、
前記不透水性布地又はシートにステッチ縫合によって形成された孔と、前記シート状吸水体を貫通するステッチ糸の毛細管現象によって水分が前記シート状吸水体に吸収されること、
を特徴とする。
【０００７】
前記吸水パッドを水に浸すことで、ステッチ縫合部分を吸水経路として水がシート状吸水体に吸収される。即ち、ステッチ縫合によって形成された孔と、前記シート状吸水体を貫通するステッチ糸の毛細管現象によって水が吸水ポリマーに浸透する。このように水分を含んだ吸水パッドを冷蔵庫で冷却あるいはヒータで加熱して人体の顔に当てたり、首や頭部に巻きつければ、冷却あるいは温熱効果を発揮する。冷却には、吸水経路（ステッチ縫合によるミシン目の孔やステッチ糸）から水分が気化する気化熱効果も相乗的に作用する。
【０００８】
吸水状態ではシート状吸水体が水を含んで膨張する。ステッチ縫合部分は吸水経路としての機能のほか、吸水ポリマーに吸収された水が他のエリアに移動することを防止するとともに厚み方向への膨張を調整する。シート状吸収体が厚さ方向に膨張することで、吸水パッド内に一定以上の水量を保持でき、必要な温度を一定時間維持することができる。
【０００９】
前記吸水パッドは表面に不透水性布地又はシートを用いているため、表面から水分が浸み出て肌や衣類を濡らすことがない。しかも、吸水した膨張状態では複数のエリアが膨張することにより、ステッチ縫合部分は窪んだ状態になって谷間として膨張部分に隠れてしまう。ミシン目の孔やステッチ糸から水分が浸み出るが、谷間になっているので肌や衣類に直接触れることはなく、肌や衣類を濡らすことはない。
【００１０】
また、前記吸水パッドは水分を吸収していない状態では軽く、平たく折り畳んだり、コンパクトに巻くことができる。
【００１１】
ところで、前記シート状吸水体は吸水ポリマーを含む不織布を好適に用いることができる。前記不透水性布地又はシートの表面は撥水処理が施されていることが好ましい。
【発明の効果】
【００１２】
本発明によれば、不透水性布地又はシートを使用して必要なときに水分の吸収が可能であり、人体の顔、首、頭部などを効果的に冷却あるいは温熱することができる。しかも、使用時に肌や衣類が濡れたり、べたつくこともない。
【図面の簡単な説明】
【００１３】
【図１】本発明の一実施例である吸水パッドを示し、（Ａ）は表面図、（Ｂ）は裏面図、（Ｃ）はシート状吸水体の配置位置を示すための裏面図である。
【図２】図１（Ａ）のＸ−Ｘ断面図であり、（Ａ）は吸水前の状態、（Ｂ）は吸水後の状態を示す。
【図３】縫合部分の断面を示す斜視図である。
【図４】図３の一部を拡大して示す斜視図である。
【発明を実施するための形態】
【００１４】
以下、本発明に係る吸水パッドの実施例について、添付図面を参照して説明する。
【００１５】
本発明の一実施例である吸水パッドは、図１に示すように、不透水性布地（表面布地１０Ａ及び裏面布地１０Ｂ）からなる平面状の周囲が閉止された袋体１０内に、吸水ポリマーを含むシート状吸水体１５を挟み込み、不透水性布地１０Ａ，１０Ｂとシート状吸水体１５とをミシンにてステッチ縫合して平面視で複数のエリアに分割したものである。
【００１６】
表面（図１（Ａ）参照）の右方端部には面ファスナー２１が、裏面（図１（Ｂ）参照）の左方端部には面ファスナー２２が、それぞれ貼着されている。図１で点線３１で示したミシン目部分が表面布地１０Ａと裏面布地１０Ｂを縫合して袋体１０を形成している。点線３２がステッチ縫合部分であり、布地１０Ａ，１０Ｂとシート状吸水体１５とを縫合しており、その拡大した断面を図３及び図４に示す。符号３３がステッチ糸である。
【００１７】
シート状吸水体１５は吸水ポリマーを含む不織布を好適に用いることができる。吸水性ポリマーは従来よく知られた材料であり、不織布に含まれた状態で容易に入手することができる。但し、シート状吸水体１５は不織布以外であってもよい。
【００１８】
以上の構成からなる吸水パッドは水に浸すことで、ステッチ縫合されているミシン目の孔やステッチ糸を吸水経路として毛細管現象により水が内部の吸水ポリマーに浸透する。ミシン目の孔やステッチ糸３３がシート状吸水体１５とも直接接しているので、水分の吸引効果が大きい。
【００１９】
このように水を含んだ吸水パッドを、冷蔵庫などで冷却しておき、人体の顔に当てたり、首や頭部に巻き付けて面ファスナー２１，２２を接合すれば、冷却効果が発揮される。また、ミシン目の孔やステッチ糸３３から水分が気化する気化熱効果も相乗的に作用する。一方、吸水パッドを吸水状態で加熱しておけば、保温効果のあるパッドとして使用することができる。
【００２０】
また、吸水パッドは前記吸水経路から自然に水分が発散して乾燥状態に戻る。吸水パッドは水分を吸収していない状態では、図２（Ａ）に示すように、ほぼ平坦状であり、軽く、平たく折り畳んだり、コンパクトに巻くことができる。吸水状態では、図２（Ｂ）に示すように、シート状吸水体１５が水を含んで膨張し、短辺方向のステッチ縫合部分３２で折り曲げられた状態で人体に巻き付けることができる。
【００２１】
ステッチ縫合部分３２は吸水経路になるほか、吸水ポリマーに吸収された水が他のエリアに移動することを防止するとともに厚み方向への膨張を調整する。シート状吸水体１５が厚さ方向に膨張することで、吸水パッド内に一定以上の水量を保持でき、必要な温度を一定時間維持することができる。また、吸水した膨張状態ではステッチ縫合部分３２は窪んだ状態になって谷間として膨張部分に隠れてしまう。即ち、ステッチ縫合部分３２（吸水経路）は、吸水した各エリアが盛り上がった状態において断面Ｘ形状の交点に位置する。ミシン目の孔やステッチ糸３３には水分が浸み出るが、吸水経路は谷間になっているので、換言すれば、断面Ｘ形状の交点に位置しているので、吸水経路から浸み出る水分が肌や衣類に直接触れることはなく、肌や衣類などを濡らすことはない。
【００２２】
ところで、吸水パッドは、表面に不透水性布地１０Ａ，１０Ｂを用いているために肌や衣類を濡らすことなく使用でき、不透水性であっても気化熱効果を良好なものとするためには通気性を有することが好ましい。また、不透水性布地１０Ａ，１０Ｂの表面は撥水処理が施されていることが好ましい。さらに、吸水パッドは全体的に抗菌、消臭又は防汚処理が施されていてもよい。
【００２３】
なお、本発明に係る吸水パッドは前記実施例に限定するものではなく、その要旨の範囲内で種々に変更できることは勿論である。特に、表面の不透水性材料は、布地１０Ａ，１０Ｂに限らず、シートであってもよい。
【産業上の利用可能性】
【００２４】
以上のように、本発明は、吸水パッドに有用であり、特に、必要なときに水分の吸収が可能であり、人体の顔、首、頭部などを効果的に冷却あるいは温熱することができ、使用時に肌や衣類が濡れることがない点で優れている。
【符号の説明】
【００２５】
１０…袋体
１０Ａ，１０Ｂ…不透水性布地
１５…シート状吸水体
３２…ステッチ縫合部分
３３…ステッチ糸
【図１】
2010246727.tif 000003
【図２】
2010246727.tif 000004
【図３】
2010246727.tif 000005
【図４】
2010246727.tif 000006
【手続補正書】
【提出日】平成21年7月24日(2009.7.24)
【手続補正１】
【補正対象書類名】特許請求の範囲
【補正対象項目名】全文
【補正方法】変更
【補正の内容】
【特許請求の範囲】
【請求項１】
不透水性布地又はシートからなる平面状の周囲が閉止された袋体内に、吸水ポリマーを含むシート状吸水体を挟み込み、
前記不透水性布地又はシートと前記シート状吸水体とをステッチ縫合して平面視で複数のエリアに分割し、
前記不透水性布地又はシートにステッチ縫合によって形成された孔と、前記シート状吸水体を貫通するステッチ糸の毛細管現象とによってのみ水分が前記シート状吸水体に吸収されること、
を特徴とする吸水パッド。
【請求項２】
前記ステッチ縫合部分は、前記シート状吸水体が水分を吸収した際に、前記複数のエリアが膨張することにより窪んだ位置に隠れること、を特徴とする請求項１に記載の吸水パッド。
【請求項３】
前記シート状吸水体は吸水ポリマーを含む不織布であることを特徴とする請求項１又は請求項２に記載の吸水パッド。
【請求項４】
前記不透水性布地又はシートの表面は撥水処理が施されていることを特徴とする請求項１、請求項２又は請求項３に記載の吸水パッド。
【手続補正２】
【補正対象書類名】明細書
【補正対象項目名】０００６
【補正方法】変更
【補正の内容】
【０００６】
以上の目的を達成するため、本発明の一形態である吸水パッドは、
不透水性布地又はシートからなる平面状の周囲が閉止された袋体内に、吸水ポリマーを含むシート状吸水体を挟み込み、
前記不透水性布地又はシートと前記シート状吸水体とをステッチ縫合して平面視で複数のエリアに分割し、
前記不透水性布地又はシートにステッチ縫合によって形成された孔と、前記シート状吸水体を貫通するステッチ糸の毛細管現象とによってのみ水分が前記シート状吸水体に吸収されること、
を特徴とする。
【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
不透水性布地又はシートからなる平面状の周囲が閉止された袋体内に、吸水ポリマーを含むシート状吸水体を挟み込み、
前記不透水性布地又はシートと前記シート状吸水体とをステッチ縫合して平面視で複数のエリアに分割し、
前記不透水性布地又はシートにステッチ縫合によって形成された孔と、前記シート状吸水体を貫通するステッチ糸の毛細管現象とによってのみ水分が前記シート状吸水体に吸収されること、
を特徴とする冷却、温熱用の吸水パッド。
【請求項２】
前記ステッチ縫合部分は、前記シート状吸水体が水分を吸収した際に、前記複数のエリアが膨張することにより窪んだ位置に隠れること、を特徴とする請求項１に記載の冷却、温熱用の吸水パッド。
【請求項３】
前記シート状吸水体は吸水ポリマーを含む不織布であることを特徴とする請求項１又は請求項２に記載の冷却、温熱用の吸水パッド。
【請求項４】
前記不透水性布地又はシートの表面は撥水処理が施されていることを特徴とする請求項１、請求項２又は請求項３に記載の冷却、温熱用の吸水パッド。
【手続補正２】
【補正対象書類名】明細書
【補正対象項目名】０００６
【補正方法】変更
【補正の内容】
【０００６】
以上の目的を達成するため、本発明の一形態である冷却、温熱用の吸水パッドは、
不透水性布地又はシートからなる平面状の周囲が閉止された袋体内に、吸水ポリマーを含むシート状吸水体を挟み込み、
前記不透水性布地又はシートと前記シート状吸水体とをステッチ縫合して平面視で複数のエリアに分割し、
前記不透水性布地又はシートにステッチ縫合によって形成された孔と、前記シート状吸水体を貫通するステッチ糸の毛細管現象とによってのみ水分が前記シート状吸水体に吸収されること、
を特徴とする。